(57)【要約】  【課題】  複数の無停電電源装置を含む画像形成システムにおいて、無停電電源装置に異常が生じた場合に、適切にシステムの状態を変更することのできる画像形成システム、管理装置、管理プログラムを提供する。  【解決手段】  管理装置１０３が、無停電電源装置１０６および無停電電源装置１０７と、画像処理装置１０２Ｃ、画像処理装置１０２Ｍ、画像処理装置１０２Ｙ、画像処理装置１０２Ｋ、画像処理装置１０２−１、画像処理装置１０２−ｎとの接続を管理し、無停電電源装置１０６および無停電電源装置１０７のいずれかに異常が生じた際に、異常が生じた無停電電源装置に接続された画像処理装置に対して停止命令を発する。【選択図】        図２
2012232554.tif 000002
【特許請求の範囲】
【請求項１】
複数の無停電電源装置と、
それぞれが前記無停電電源装置のいずれかに接続された複数の画像処理装置と、
前記無停電電源装置に異常が生じた際に、前記画像処理装置のうち該異常が生じた無停電電源装置に接続された画像処理装置に対して停止命令を発する管理装置と
を具備することを特徴とする画像形成システム。
【請求項２】
前記画像処理装置は、印刷情報を画像情報に展開して保存し、該保存した画像情報を画像形成装置に出力する第１の画像処理装置と、前記印刷情報を画像情報に展開し、該展開した画像情報を前記第１の画像処理装置に出力する第２の画像処理装置とを含み、
前記管理装置は、異常が生じた無停電電源装置に前記第１の画像処理装置が接続されている場合には、前記画像処理装置の全てに対して停止命令を発する
ことを特徴とする請求項１記載の画像形成システム。
【請求項３】
前記管理装置は、前記画像処理装置のそれぞれに印刷情報を配信し、前記画像処理装置に対して停止命令を発した際には、該停止命令を発した画像処理装置を前記印刷情報の配信先から除外することを特徴とする請求項１記載の画像形成システム。
【請求項４】
前記画像処理装置は、前記管理装置から停止命令を受けた際に、印刷情報を画像情報に展開していた場合、該印刷情報の画像情報への展開が終了した後に、前記停止命令に応じた停止処理を行うことを特徴とする請求項１記載の画像形成システム。
【請求項５】
複数の無停電電源装置と複数の画像処理装置とのそれぞれの接続の組み合わせを示す情報を保持する保持手段と、
前記無停電電源装置のうちいずれかから異常が検出された際に、前記保持手段が保持する情報に基づいて、該異常が検出された無停電電源装置に接続された画像処理装置を特定する特定手段と、
前記特定手段が特定した画像処理装置に対して停止命令を発する命令手段と
を具備することを特徴とする管理装置。
【請求項６】
前記特定手段が特定した画像処理装置が、印刷情報を画像情報に展開して保存し、該保存した画像情報を画像形成装置に出力する第１の画像処理装置と、前記印刷情報を画像情報に展開し、該展開した画像情報を前記第１の画像処理装置に出力する第２の画像処理装置とのいずれであるかを判定する判定手段をさらに具備し、
前記命令手段は、前記判定手段により、前記特定手段が特定した画像処理装置が前記第１の画像処理装置であると判定された場合に、全ての画像処理装置に対して停止命令を発する
ことを特徴とする請求項５記載の管理装置。
【請求項７】
前記無停電電源装置のうちいずれかから異常が検出された際に、保持手段が保持する複数の無停電電源装置と複数の画像処理装置とのそれぞれの接続の組み合わせを示す情報に基づいて、該異常が検出された無停電電源装置に接続された画像処理装置を特定する特定処理と、
前記特定処理で特定した画像処理装置に対して停止命令を発する命令処理と
をコンピュータに実行させることを特徴とする管理プログラム。
【請求項８】
前記特定処理で特定した画像処理装置が、印刷情報を画像情報に展開して保存し、該保存した画像情報を画像形成装置に出力する第１の画像処理装置と、前記印刷情報を画像情報に展開し、該展開した画像情報を前記第１の画像処理装置に出力する第２の画像処理装置とのいずれであるかを判定する判定処理をさらに前記コンピュータに実行させ、
前記命令処理は、前記判定処理により、前記特定処理で特定した画像処理装置が前記第１の画像処理装置であると判定された場合に、全ての画像処理装置に対して停止命令を発する
ことを特徴とする請求項７記載の管理プログラム。
【発明の詳細な説明】
【技術分野】
【０００１】
本発明は、画像形成システム、管理装置、管理プログラムに関する。
【背景技術】
【０００２】
コンピュータ等の情報処理装置や、これを利用した様々な装置等では、商用電源を利用する際に、停電等により供給される電力が不安定となった場合でも、装置や情報の保護等を行うことを可能とするために、無停電電源装置（UPS(Uninterruptible Power Supply)：以下、ＵＰＳと略称する場合がある）を用いていることが多い（例えば、特許文献１参照）。
【０００３】
無停電電源装置を利用する場合、無停電電源装置を介して電力の供給を受ける装置の消費電力に応じて当該無停電電源装置の容量を決定する必要があり、装置の消費電力が大きい場合には、容量の大きい無停電電源装置または複数の無停電電源装置が用いられることとなる。
【先行技術文献】
【特許文献】
【０００４】
【特許文献１】特開２００５−１８３８４号公報
【発明の概要】
【発明が解決しようとする課題】
【０００５】
本発明は、複数の無停電電源装置を含む画像形成システムにおいて、無停電電源装置に異常が生じた場合に、適切にシステムの状態を変更することのできる画像形成システム、管理装置、管理プログラムを提供することを目的とする。
【課題を解決するための手段】
【０００６】
上述した目的を達成するため、請求項１の発明は、複数の無停電電源装置と、それぞれが前記無停電電源装置のいずれかに接続された複数の画像処理装置と、前記無停電電源装置に異常が生じた際に、前記画像処理装置のうち該異常が生じた無停電電源装置に接続された画像処理装置に対して停止命令を発する管理装置とを具備することを特徴とする。
【０００７】
また、請求項２の発明は、請求項１の発明において、前記画像処理装置は、印刷情報を画像情報に展開して保存し、該保存した画像情報を画像形成装置に出力する第１の画像処理装置と、前記印刷情報を画像情報に展開し、該展開した画像情報を前記第１の画像処理装置に出力する第２の画像処理装置とを含み、前記管理装置は、異常が生じた無停電電源装置に前記第１の画像処理装置が接続されている場合には、前記画像処理装置の全てに対して停止命令を発することを特徴とする。
【０００８】
また、請求項３の発明は、請求項１の発明において、前記管理装置は、前記画像処理装置のそれぞれに印刷情報を配信し、前記画像処理装置に対して停止命令を発した際には、該停止命令を発した画像処理装置を前記印刷情報の配信先から除外することを特徴とする。
【０００９】
また、請求項４の発明は、請求項１の発明において、前記画像処理装置は、前記管理装置から停止命令を受けた際に、印刷情報を画像情報に展開していた場合、該印刷情報の画像情報への展開が終了した後に、前記停止命令に応じた停止処理を行うことを特徴とする。
【００１０】
また、請求項５の発明は、複数の無停電電源装置と複数の画像処理装置とのそれぞれの接続の組み合わせを示す情報を保持する保持手段と、前記無停電電源装置のうちいずれかから異常が検出された際に、前記保持手段が保持する情報に基づいて、該異常が検出された無停電電源装置に接続された画像処理装置を特定する特定手段と、前記特定手段が特定した画像処理装置に対して停止命令を発する命令手段とを具備することを特徴とする。
【００１１】
また、請求項６の発明は、請求項５の発明において、前記特定手段が特定した画像処理装置が、印刷情報を画像情報に展開して保存し、該保存した画像情報を画像形成装置に出力する第１の画像処理装置と、前記印刷情報を画像情報に展開し、該展開した画像情報を前記第１の画像処理装置に出力する第２の画像処理装置とのいずれであるかを判定する判定手段をさらに具備し、前記命令手段は、前記判定手段により、前記特定手段が特定した画像処理装置が前記第１の画像処理装置であると判定された場合に、全ての画像処理装置に対して停止命令を発することを特徴とする。
【００１２】
また、請求項７の発明は、前記無停電電源装置のうちいずれかから異常が検出された際に、保持手段が保持する複数の無停電電源装置と複数の画像処理装置とのそれぞれの接続の組み合わせを示す情報に基づいて、該異常が検出された無停電電源装置に接続された画像処理装置を特定する特定処理と、前記特定処理で特定した画像処理装置に対して停止命令を発する命令処理とをコンピュータに実行させることを特徴とする。
【００１３】
また、請求項８の発明は、請求項７の発明において、前記特定処理で特定した画像処理装置が、印刷情報を画像情報に展開して保存し、該保存した画像情報を画像形成装置に出力する第１の画像処理装置と、前記印刷情報を画像情報に展開し、該展開した画像情報を前記第１の画像処理装置に出力する第２の画像処理装置とのいずれであるかを判定する判定処理をさらに前記コンピュータに実行させ、前記命令処理は、前記判定処理により、前記特定処理で特定した画像処理装置が前記第１の画像処理装置であると判定された場合に、全ての画像処理装置に対して停止命令を発することを特徴とする。
【発明の効果】
【００１４】
請求項１の発明によれば、無停電電源装置に異常が生じた際に、画像形成システムを継続して稼動が可能な状態に変更することができる。
【００１５】
また、請求項２の発明によれば、継続して稼動させることができない画像形成システムを停止させることができる。
【００１６】
また、請求項３の発明によれば、画像形成システムを継続して稼動が可能な状態に変更した際に、変更した状態に応じた印刷情報の配信が可能となる。
【００１７】
また、請求項４の発明によれば、展開した画像情報を無駄にすることなく、画像処理装置を停止することができる。
【００１８】
また、請求項５の発明によれば、無停電電源装置に異常が生じた際に、画像形成システムを継続して稼動が可能な状態に変更することができる。
【００１９】
また、請求項６の発明によれば、継続して稼動させることができない画像形成システムを停止させることができる。
【００２０】
また、請求項７の発明によれば、無停電電源装置に異常が生じた際に、画像形成システムを継続して稼動が可能な状態に変更することができる。
【００２１】
また、請求項８の発明によれば、継続して稼動させることができない画像形成システムを停止させることができる。
【図面の簡単な説明】
【００２２】
【図１】画像形成装置の概略を示した図である。
【図２】画像形成システムの構成例を示したブロック図である。
【図３】管理装置１０３の構成例を示した図である。
【図４】管理装置１０３の動作の流れを示すフローチャートである。
【図５】管理装置１０３の動作の流れを示すフローチャートである。
【図６】システム構成管理リストの例を示した図である。
【図７】画像処理装置の停止処理の流れを示すフローチャートである。
【発明を実施するための形態】
【００２３】
以下、本発明に係る画像形成システム、管理装置、管理プログラムの一実施の形態について、添付図面を参照して詳細に説明する。
【実施例１】
【００２４】
図１は、画像形成装置の概略を示した図である。同図に示す画像形成装置は、画像形成装置本体１と、画像形成装置本体１に供給する用紙を収容する前処理装置２、画像形成装置本体１と前処理装置２の間に配され、供給された用紙の流れを調整するバッファ装置３、画像形成装置本体１から排出された用紙を収容する後処理装置４、画像形成装置本体１と後処理装置４の間に配され、排出された用紙の流れを調整するバッファ装置５から構成される。
【００２５】
また、画像形成装置本体１は、Ｃ（シアン）色の画像形成を行う形成処理部１１Ｃ、Ｍ（マゼンタ）色の画像形成を行う形成処理部１１Ｍ、Ｙ（イエロー）色の画像形成を行う形成処理部１１Ｙ、Ｋ（ブラック）色の画像形成を行う形成処理部１１Ｋ、これら各形成処理部で形成され用紙に転写された画像を当該用紙に定着させる定着部１２を有している。形成処理部１１Ｃ、形成処理部１１Ｍ、形成処理部１１Ｙ、形成処理部１１Ｋのそれぞれには、図示しない画像処理部から画像形成のための画像情報が入力される。
【００２６】
次に、画像形成装置を含む画像形成システムについて説明する。図２は、画像形成システムの構成例を示したブロック図である。
【００２７】
同図に示す画像形成システムは、画像形成装置１０１と、画像処理装置１０２Ｃ、画像処理装置１０２Ｍ、画像処理装置１０２Ｙ、画像処理装置１０２Ｋ、画像処理装置１０２−１〜ｎ、管理装置１０３、ホスト装置１０４、無停電電源装置１０５、無停電電源装置１０６、無停電電源装置１０７を有している。
【００２８】
画像形成装置１０１は、図１に示した画像形成装置１に対応するもので、形成処理部１１１Ｃ、形成処理部１１１Ｍ、形成処理部１１１Ｙ、形成処理部１１１Ｋを有している。なお、形成処理部１１１Ｃ、形成処理部１１１Ｍ、形成処理部１１１Ｙ、形成処理部１１１Ｋは、それぞれ、図１に示した形成処理部１１Ｃ、形成処理部１１Ｍ、形成処理部１１Ｙ、形成処理部１１Ｋに対応するものである。
【００２９】
画像処理装置１０２Ｃは、画像展開部１２１Ｃと保存部１２２Ｃ、形成制御部１２３Ｃを有している。画像展開部１２１Ｃは、描画命令等の印刷情報を、画像形成装置１０１が画像形成処理を実行するのに要する画像情報に展開する。この画像展開部１２１Ｃは、原則としてＣ色の画像情報を展開するが、他色の画像情報を展開する場合もある。保存部１２２Ｃは、画像展開部１２１Ｃまたは後述の画像展開部１２１Ｍ、画像展開部１２１Ｙ、画像展開部１２１Ｋ、画像処理装置１０２−１〜ｎが展開した画像情報のうち、Ｃ色の画像情報を保存する。形成制御部１２３Ｃは、保存部１２２Ｃに保存された画像情報を、画像形成装置１０１の動作に応じて形成処理部１１１Ｃに入力し、形成処理部１１１ＣにＣ色の画像形成を行わせる。
【００３０】
画像処理装置１０２Ｍは、画像展開部１２１Ｍと保存部１２２Ｍ、形成制御部１２３Ｍを有している。画像展開部１２１Ｍは、印刷情報を画像情報に展開する。この画像展開部１２１Ｍは、原則としてＭ色の画像情報を展開するが、他色の画像情報を展開する場合もある。保存部１２２Ｍは、画像展開部１２１Ｃまたは画像展開部１２１Ｍ、後述の画像展開部１２１Ｙ、画像展開部１２１Ｋ、画像処理装置１０２−１〜ｎが展開した画像情報のうち、Ｍ色の画像情報を保存する。形成制御部１２３Ｍは、保存部１２２Ｍに保存された画像情報を、画像形成装置１０１の動作に応じて形成処理部１１１Ｍに入力し、形成処理部１１１ＭにＭ色の画像形成を行わせる。
【００３１】
画像処理装置１０２Ｙは、画像展開部１２１Ｙと保存部１２２Ｙ、形成制御部１２３Ｙを有している。画像展開部１２１Ｙは、印刷情報を画像情報に展開する。この画像展開部１２１Ｙは、原則としてＹ色の画像情報を展開するが、他色の画像情報を展開する場合もある。保存部１２２Ｙは、画像展開部１２１Ｃまたは画像展開部１２１Ｍ、画像展開部１２１Ｙ、後述の画像展開部１２１Ｋ、画像処理装置１０２−１〜ｎが展開した画像情報のうち、Ｙ色の画像情報を保存する。形成制御部１２３Ｙは、保存部１２２Ｙに保存された画像情報を、画像形成装置１０１の動作に応じて形成処理部１１１Ｙに入力し、形成処理部１１１ＹにＹ色の画像形成を行わせる。
【００３２】
同様に、画像処理装置１０２Ｋは、画像展開部１２１Ｋと保存部１２２Ｋ、形成制御部１２３Ｋを有している。画像展開部１２１Ｋは、印刷情報を画像情報に展開する。この画像展開部１２１Ｋは、原則としてＫ色の画像情報を展開するが、他色の画像情報を展開する場合もある。保存部１２２Ｋは、画像展開部１２１Ｃまたは画像展開部１２１Ｍ、画像展開部１２１Ｙ、画像展開部１２１Ｋ、後述の画像処理装置１０２−１〜ｎが展開した画像情報のうち、Ｋ色の画像情報を保存する。形成制御部１２３Ｋは、保存部１２２Ｋに保存された画像情報を、画像形成装置１０１の動作に応じて形成処理部１１１Ｋに入力し、形成処理部１１１ＫにＫ色の画像形成を行わせる。
【００３３】
画像処理装置１０２−１は、画像展開部１２１−１を有している。画像展開部１２１−１は、印刷情報を画像情報に展開する。この画像展開部１２１−１が展開した画像情報は、その色に応じて、保存部１２２Ｃ、保存部１２２Ｍ、保存部１２２Ｙ、保存部１２２Ｋのいずれかに保存される。
【００３４】
なお、同図中では、省略しているが、画像処理装置１０２−１に相当する画像処理装置は、複数存在する（同図中では、画像処理装置１０２−１、画像処理装置１０２−ｎのみを示している）。
【００３５】
管理装置１０３は、受信部１３１と配信処理部１３２、電源管理部１３３を有し、受信部１３１がホスト装置１０４から受信した印刷情報を、配信処理部１３２が、画像処理装置１０２Ｃ、画像処理装置１０２Ｍ、画像処理装置１０２Ｙ、画像処理装置１０２Ｋ、画像処理装置１０２−１〜ｎのいずれかに配信する。配信処理部１３２による印刷情報の配信は、ＣＭＹＫの色毎に画像処理装置１０２Ｃ、画像処理装置１０２Ｍ、画像処理装置１０２Ｙ、画像処理装置１０２Ｋに配信するが、特定の色での画像展開が他の色よりも処理時間を要する場合などには、色に関係なく、配信先を決定する。また、電源管理部１３３は、無停電電源装置１０６、無停電電源装置１０７等（さらに無停電電源装置が接続されている場合もあり）の稼動状態を管理し、無停電電源装置１０６や無停電電源装置１０７等の起動や停止を行う。また、無停電電源装置１０６、無停電電源装置１０７等に異常が生じた場合には、画像形成システムの状態の変更や停止等の処理を行う。
【００３６】
ホスト装置１０４は、印刷情報を生成して管理装置１０３に送出する。
【００３７】
無停電電源装置１０５は、操作部１５１と出力制御部１５２を有し、操作部１５１に対する操作により動作を開始すると、出力制御部１５２が電力の供給を開始し、管理装置１０３に給電する。
【００３８】
無停電電源装置１０６は、通信部１６１と出力制御部１６２を有し、通信部１６１が管理装置１０３の電源管理部１３３から起動命令を受信すると動作を開始し、出力制御部１６２が電力の供給を開始し、画像処理装置１０２Ｃ、画像処理装置１０２Ｍ、画像処理装置１０２Ｙ、画像処理装置１０２Ｋに給電する。また、無停電電源装置１０６は、装置に異常が発生した場合に、その旨を通信部１６１を介して管理装置１０３に通知する。
【００３９】
無停電電源装置１０７は、通信部１７１と出力制御部１７２を有し、通信部１７１が管理装置１０３の電源管理部１３３から起動命令を受信すると動作を開始し、出力制御部１７２が電力の供給を開始し、画像処理装置１０２−１、画像処理装置１０２−ｎ等に給電する。また、無停電電源装置１０７は、装置に異常が発生した場合に、その旨を通信部１７１を介して管理装置１０３に通知する。
【００４０】
ここで、管理装置１０３の構成について説明する。図３は、管理装置１０３の構成例を示した図である。
【００４１】
同図に示すように、管理装置１０３は、演算部１３５と記憶部１３６、記憶装置１３７、表示・操作装置１３８、通信部１３９を有している。
【００４２】
演算部１３５は演算処理行うもので、例えば、ＣＰＵ（Central Processing Unit）等のプロセッサにより実現されるものである。
【００４３】
記憶部１３６は、プログラムや設定情報等を記憶するもので、例えばＲＯＭ（Read Only Memory）、不揮発性メモリ（Nonvolatile Memory）等の半導体記憶素子で実現されるものである。また、記憶部１３６は、演算部１３５が演算処理を行う際の作業領域等に用いられ情報等を一時的に記憶するもので、例えばＲＡＭ(Random Access Memory)等の半導体記憶素子で実現されるものも含む。
【００４４】
記憶装置１３７は、情報等を記憶するもので、磁気ディスクや半導体記憶素子で実現されるものである。
【００４５】
表示・操作装置１３８は、ユーザインタフェイスとして動作するものである。
【００４６】
通信部１３９は、通信用のインタフェイスであり、集積回路等により実現されるものである。なお、電源管理部１３３と通信部１６１の間の通信に専用の通信線等を用いる場合には、通信部１３９は複数配設される。
【００４７】
管理装置１０３は、記憶装置１３７に記憶されたプログラムに従って、演算部１３５等が動作することで、受信部１３１、配信処理部１３２、電源管理部１３３を実現する。なお、記憶装置１３７に記憶するプログラムは、ＣＤ−ＲＯＭ（Compact Disk Read Only Memory）等の光記憶媒体または他の媒体等を介して提供することができ、ネットワークを介して提供することもできる。
【００４８】
次に、無停電電源装置に異常が生じた場合に実行する画像形成システムの状態の変更または停止の手順を、管理装置１０３の動作に基づいて説明する。図４及び図５は、管理装置１０３の動作の流れを示すフローチャートである。
【００４９】
管理装置１０３は、電源管理部１３３が無停電電源装置（ＵＰＳ）から異常の通知を受けると、無停電電源装置の異常を検出したものとして（ステップ２０１でＹＥＳ）、異常が生じた無停電電源装置を特定する（ステップ２０２）。異常が生じた無停電電源装置の特定は、無停電電源装置の識別番号や、ネットワークアドレスなどにより行う。なお、無停電電源装置の異常の検出は、無停電電源装置側からの通知によらずに、電源管理部１３３から無停電電源装置側に問い合わせを行う形式で行うようにしてもよい。
【００５０】
異常が生じた無停電電源装置を特定すると、電源管理部１３３は、停止対象とする画像処理装置を判定する（ステップ２０３）。この判定処理では、電源管理部１３３は、まず、異常が生じた無停電電源装置に接続され、当該無停電電源装置から給電を受けている画像処理装置を特定する（図５のステップ２３１）。電源管理部１３３による画像処理装置の特定は、管理装置１０３が保持するシステム構成管理リストにより行う。システム構成管理リストは、例えば、図６に示すようなものであり、稼動している画像処理装置と、当該画像処理装置が接続されている無停電電源装置とが組みになっているリストである。このシステム構成管理リストは、予め設定された画像処理装置と無停電電源装置との組み合わせの情報を、画像形成システムの起動時に起動した画像処理装置について順次読み込むことで生成される。
【００５１】
そして、電源管理部１３３は、異常が生じた無停電電源装置に接続していると特定した画像処理装置に、色担当装置が含まれている場合には（ステップ２３２でＹＥＳ）、画像形成システムの全体を停止すると判定し（ステップ２３３）、色担当装置が含まれていない場合には（ステップ２３２でＮＯ）、画像形成システムの一部を停止すると判定し（ステップ２３４）、停止対象の判定処理を終了する。色担当装置とは、画像情報を保存する保存部と、画像情報を画像形成装置に入力する形成処理部を有するもので、保存部１２２Ｃと形成処理部１２３Ｃを有する画像処理装置１０２Ｃ、保存部１２２Ｍと形成処理部１２３Ｍを有する画像処理装置１０２Ｍ、保存部１２２Ｙと形成処理部１２３Ｙを有する画像処理装置１０２Ｙ、保存部１２２Ｋと形成処理部１２３Ｋを有する画像処理装置１０２Ｋが、色担当装置に相当する。
【００５２】
停止対象の判定処理の結果、画像形成システムの一部を停止すると判定された場合には（ステップ２０４でＮＯ）、電源管理部１３３は、システム構成管理リストに基づいて、異常が生じた無停電電源装置に接続された画像処理装置を特定し（ステップ２０５）、特定した画像処理装置に対して停止命令を送出する（ステップ２０６）。電源管理部１３３による停止命令の送出は、配信処理部１３２を介して、印刷情報を配信する通信経路を利用して行うが、電源管理部１３３が直接、各画像処理装置に対して停止命令を送出するように構成してもよい。
【００５３】
そして、無停電電源装置に接続された画像処理装置に対して、停止命令を送出すると、電源管理部１３３は、停止命令を送出した画像処理装置をシステム構成管理リストから削除し（ステップ２０７）、処理を終了する。この場合には、停止させていない画像処理装置のみを利用して、画像形成システムとしては動作を継続する。このとき、配信処理部１３２は、システム構成管理リストを参照して、印刷情報の配信先から停止した画像処理装置を除外し、稼動している画像処理装置にのみ印刷情報を配信するように、配信先を変更する。
【００５４】
一方、停止対象の判定処理の結果、画像形成システムの全てを停止すると判定された場合には（ステップ２０４でＹＥＳ）、電源管理部１３３は、システム構成管理リストに基づいて、全ての画像処理装置に対して停止命令を送出する（ステップ２０８）。電源管理部１３３による停止命令の送出は、配信処理部１３２を介して、印刷情報を配信する通信経路を利用して行うが、電源管理部１３３が直接、各画像処理装置に対して停止命令を送出するように構成してもよい。
【００５５】
そして、全ての画像処理装置に対して、停止命令を送出すると、電源管理部１３３は、管理装置１０３自体に対しても停止処理を実行させ（ステップ２０９）、処理を終了する。
【００５６】
これらの処理を具体的に説明する。例えば、図６に示したように、システム構成管理リストに、無停電電源装置１０６に接続された画像処理装置１０２Ｃ、画像処理装置１０２Ｍ、画像処理装置１０２Ｙ、画像処理装置１０２Ｋと、無停電電源装置１０７に接続された画像処理装置１０２−１、画像処理装置１０２−ｎ等、無停電電源装置１０８（図２では不図示）に接続された画像処理装置１０２−（ｎ＋１）等（図２では不図示）が存在し、全てが正常に稼動していたとする。
【００５７】
この状態で、無停電電源装置１０８に異常が生じた場合、無停電電源装置１０８には、色担当装置に相当する画像処理装置１０２Ｃ、画像処理装置１０２Ｍ、画像処理装置１０２Ｙ、画像処理装置１０２Ｋが接続されていないため、画像形成システムの一部を停止すると判定し（ステップ２３２でＮＯ、ステップ２３４）、無停電電源装置１０８に接続された画像処理装置１０２−（ｎ＋１）等のみを停止する。
【００５８】
同様に、無停電電源装置１０７に異常が生じた場合、無停電電源装置１０７には、色担当装置に相当する画像処理装置１０２Ｃ、画像処理装置１０２Ｍ、画像処理装置１０２Ｙ、画像処理装置１０２Ｋが接続されていないため、画像形成システムの一部を停止すると判定し（ステップ２３２でＮＯ、ステップ２３４）、画像処理装置１０２−１、画像処理装置１０２−ｎ等のみを停止する。
【００５９】
また、無停電電源装置１０８に異常が生じて画像処理装置１０２−（ｎ＋１）等を停止し、画像処理装置１０２Ｃ、画像処理装置１０２Ｍ、画像処理装置１０２Ｙ、画像処理装置１０２Ｋ、画像処理装置１０２−１、画像処理装置１０２−ｎ等が稼動している状態で、無停電電源装置１０７に異常が生じた場合、無停電電源装置１０７には、画像処理装置１０２−１、画像処理装置１０２−ｎ等を停止して、画像処理装置１０２Ｃ、画像処理装置１０２Ｍ、画像処理装置１０２Ｙ、画像処理装置１０２Ｋにより画像形成システムを動作させる。
【００６０】
一方、無停電電源装置１０６に異常が生じた場合、無停電電源装置１０６には、色担当装置に相当する画像処理装置１０２Ｃ、画像処理装置１０２Ｍ、画像処理装置１０２Ｙ、画像処理装置１０２Ｋが接続されているため、画像形成システムの全てを停止すると判定し（ステップ２３２でＹＥＳ、ステップ２３３）、全ての画像処理装置と、管理装置１０３を停止する。
【００６１】
次に、画像処理装置（例えば、画像処理装置１０２Ｃ）の停止処理について説明する。図７は、画像処理装置の停止処理の流れを示すフローチャートである。
【００６２】
画像処理装置（１０２Ｃ）は、管理装置１０３から停止命令を受けると、停止処理を開始し、最初に、変数として「待ち時間」を予め定めた値に初期化する（ステップ３０１）。この値は、無停電電源装置（１０６）のバッテリ容量やこれに接続されている画像処理装置の数等から決定されたもので、当該値が示す時間、画像処理装置（１０２Ｃ）を稼動させることができると判断される値である。
【００６３】
その後、画像処理装置（１０２Ｃ）は、画像処理中のページ（印刷情報の一部）があり（ステップ３０２でＹＥＳ）、かつ、「待ち時間」を示す変数が正値である間（ステップ３０４でＮＯ）、稼動状態を継続し、この間は、時間の経過に応じて「待ち時間」を示す変数を減算する（ステップ３０３）。
【００６４】
そして、画像処理が終了するか（ステップ３０２でＮＯ）、「待ち時間」を示す変数が０に達すると（ステップ３０４でＹＥＳ）、画像処理装置（１０２Ｃ）は、動作を停止するための処理を行い（ステップ３０５）、処理を終了する。なお、動作を停止するための処理は、一般的なコンピュータのシャットダウン処理と同様に、各種情報の保存等を行う処理である。
【符号の説明】
【００６５】
１    画像形成装置本体
２    前処理装置
３    バッファ装置
４    後処理装置
５    バッファ装置
１１Ｃ    形成処理部
１１Ｍ    形成処理部
１１Ｙ    形成処理部
１１Ｋ    形成処理部
１２    定着部
１０１    画像形成装置
１０２Ｃ    画像処理装置
１０２Ｍ    画像処理装置
１０２Ｙ    画像処理装置
１０２Ｋ    画像処理装置
１０２−１    画像処理装置
１０２−ｎ    画像処理装置
１０３    管理装置
１０４    ホスト装置
１０５    無停電電源装置
１０６    無停電電源装置
１０７    無停電電源装置
１１１Ｃ    形成処理部
１１１Ｍ    形成処理部
１１１Ｙ    形成処理部
１１１Ｋ    形成処理部
１２１Ｃ    画像展開部
１２２Ｃ    保存部
１２３Ｃ    形成制御部
１２１Ｍ    画像展開部
１２２Ｍ    保存部
１２３Ｍ    形成制御部
１２１Ｙ    画像展開部
１２２Ｙ    保存部
１２３Ｙ    形成制御部
１２１Ｋ    画像展開部
１２２Ｋ    保存部
１２３Ｋ    形成制御部
１２１−１    画像展開部
１２１−ｎ    画像展開部
１３１    受信部
１３２    配信処理部
１３３    電源管理部
１５１    操作部
１５２    出力制御部
１６１    通信部
１６２    出力制御部
１７１    通信部
１７２    出力制御部
【図１】
2012232554.tif 000003
【図２】
2012232554.tif 000004
【図３】
2012232554.tif 000005
【図４】
2012232554.tif 000006
【図５】
2012232554.tif 000007
【図６】
2012232554.tif 000008
【図７】
2012232554.tif 000009
【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
複数の無停電電源装置と、
それぞれが前記無停電電源装置のいずれかに接続された複数の画像処理装置と、
前記無停電電源装置に異常が生じた際に、前記画像処理装置のうち該異常が生じた無停電電源装置に接続された画像処理装置に対して停止命令を発する管理装置と
を具備し、
前記画像処理装置は、印刷情報を画像情報に展開して保存し、該保存した画像情報を画像形成装置に出力する第１の画像処理装置と、前記印刷情報を画像情報に展開し、該展開した画像情報を前記第１の画像処理装置に出力する第２の画像処理装置とを含み、
前記管理装置は、異常が生じた無停電電源装置に前記第１の画像処理装置が接続されている場合には、前記画像処理装置の全てに対して停止命令を発する
ことを特徴とする画像形成システム。
【請求項２】
前記管理装置は、前記画像処理装置のそれぞれに印刷情報を配信し、前記画像処理装置に対して停止命令を発した際には、該停止命令を発した画像処理装置を前記印刷情報の配信先から除外することを特徴とする請求項１記載の画像形成システム。
【請求項３】
前記画像処理装置は、前記管理装置から停止命令を受けた際に、印刷情報を画像情報に展開していた場合、該印刷情報の画像情報への展開が終了した後に、前記停止命令に応じた停止処理を行うことを特徴とする請求項１記載の画像形成システム。
【請求項４】
複数の無停電電源装置と複数の画像処理装置とのそれぞれの接続の組み合わせを示す情報を保持する保持手段と、
前記無停電電源装置のうちいずれかから異常が検出された際に、前記保持手段が保持する情報に基づいて、該異常が検出された無停電電源装置に接続された画像処理装置を特定する特定手段と、
前記特定手段が特定した画像処理装置に対して停止命令を発する命令手段と、
前記特定手段が特定した画像処理装置が、印刷情報を画像情報に展開して保存し、該保存した画像情報を画像形成装置に出力する第１の画像処理装置と、前記印刷情報を画像情報に展開し、該展開した画像情報を前記第１の画像処理装置に出力する第２の画像処理装置とのいずれであるかを判定する判定手段と
を具備し、
前記命令手段は、前記判定手段により、前記特定手段が特定した画像処理装置が前記第１の画像処理装置であると判定された場合に、全ての画像処理装置に対して停止命令を発する
ことを特徴とする管理装置。
【請求項５】
複数の無停電電源装置のうちいずれかから異常が検出された際に、保持手段が保持する前記無停電電源装置のそれぞれと複数の画像処理装置のそれぞれとの接続の組み合わせを示す情報に基づいて、該異常が検出された無停電電源装置に接続された画像処理装置を特定する特定処理と、
前記特定処理で特定した画像処理装置に対して停止命令を発する命令処理と、
前記特定処理で特定した画像処理装置が、印刷情報を画像情報に展開して保存し、該保存した画像情報を画像形成装置に出力する第１の画像処理装置と、前記印刷情報を画像情報に展開し、該展開した画像情報を前記第１の画像処理装置に出力する第２の画像処理装置とのいずれであるかを判定する判定処理と
をコンピュータに実行させ、
前記命令処理は、前記判定処理により、前記特定処理で特定した画像処理装置が前記第１の画像処理装置であると判定された場合に、全ての画像処理装置に対して停止命令を発する
ことを特徴とする管理プログラム。
【手続補正２】
【補正対象書類名】明細書
【補正対象項目名】０００６
【補正方法】変更
【補正の内容】
【０００６】
上述した目的を達成するため、請求項１の発明は、複数の無停電電源装置と、それぞれが前記無停電電源装置のいずれかに接続された複数の画像処理装置と、前記無停電電源装置に異常が生じた際に、前記画像処理装置のうち該異常が生じた無停電電源装置に接続された画像処理装置に対して停止命令を発する管理装置とを具備し、前記画像処理装置は、印刷情報を画像情報に展開して保存し、該保存した画像情報を画像形成装置に出力する第１の画像処理装置と、前記印刷情報を画像情報に展開し、該展開した画像情報を前記第１の画像処理装置に出力する第２の画像処理装置とを含み、前記管理装置は、異常が生じた無停電電源装置に前記第１の画像処理装置が接続されている場合には、前記画像処理装置の全てに対して停止命令を発することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、請求項２の発明は、請求項１の発明において、前記管理装置は、前記画像処理装置のそれぞれに印刷情報を配信し、前記画像処理装置に対して停止命令を発した際には、該停止命令を発した画像処理装置を前記印刷情報の配信先から除外することを特徴とする。
【手続補正５】
【補正対象書類名】明細書
【補正対象項目名】０００９
【補正方法】変更
【補正の内容】
【０００９】
また、請求項３の発明は、請求項１の発明において、前記画像処理装置は、前記管理装置から停止命令を受けた際に、印刷情報を画像情報に展開していた場合、該印刷情報の画像情報への展開が終了した後に、前記停止命令に応じた停止処理を行うことを特徴とする。
【手続補正６】
【補正対象書類名】明細書
【補正対象項目名】００１０
【補正方法】変更
【補正の内容】
【００１０】
また、請求項４の発明は、複数の無停電電源装置と複数の画像処理装置とのそれぞれの接続の組み合わせを示す情報を保持する保持手段と、前記無停電電源装置のうちいずれかから異常が検出された際に、前記保持手段が保持する情報に基づいて、該異常が検出された無停電電源装置に接続された画像処理装置を特定する特定手段と、前記特定手段が特定した画像処理装置に対して停止命令を発する命令手段と、前記特定手段が特定した画像処理装置が、印刷情報を画像情報に展開して保存し、該保存した画像情報を画像形成装置に出力する第１の画像処理装置と、前記印刷情報を画像情報に展開し、該展開した画像情報を前記第１の画像処理装置に出力する第２の画像処理装置とのいずれであるかを判定する判定手段とを具備し、前記命令手段は、前記判定手段により、前記特定手段が特定した画像処理装置が前記第１の画像処理装置であると判定された場合に、全ての画像処理装置に対して停止命令を発することを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
また、請求項５の発明は、複数の無停電電源装置のうちいずれかから異常が検出された際に、保持手段が保持する前記無停電電源装置のそれぞれと複数の画像処理装置のそれぞれとの接続の組み合わせを示す情報に基づいて、該異常が検出された無停電電源装置に接続された画像処理装置を特定する特定処理と、前記特定処理で特定した画像処理装置に対して停止命令を発する命令処理と、前記特定処理で特定した画像処理装置が、印刷情報を画像情報に展開して保存し、該保存した画像情報を画像形成装置に出力する第１の画像処理装置と、前記印刷情報を画像情報に展開し、該展開した画像情報を前記第１の画像処理装置に出力する第２の画像処理装置とのいずれであるかを判定する判定処理とをコンピュータに実行させ、前記命令処理は、前記判定処理により、前記特定処理で特定した画像処理装置が前記第１の画像処理装置であると判定された場合に、全ての画像処理装置に対して停止命令を発することを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項１の発明によれば、無停電電源装置に異常が生じた際に、画像形成システムを継続して稼動が可能な状態に変更することができ、継続して稼動させることができない画像形成システムを停止させることができる。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
また、請求項２の発明によれば、画像形成システムを継続して稼動が可能な状態に変更した際に、変更した状態に応じた印刷情報の配信が可能となる。
【手続補正１３】
【補正対象書類名】明細書
【補正対象項目名】００１７
【補正方法】変更
【補正の内容】
【００１７】
また、請求項３の発明によれば、展開した画像情報を無駄にすることなく、画像処理装置を停止することができる。
【手続補正１４】
【補正対象書類名】明細書
【補正対象項目名】００１８
【補正方法】変更
【補正の内容】
【００１８】
また、請求項４の発明によれば、無停電電源装置に異常が生じた際に、画像形成システムを継続して稼動が可能な状態に変更することができ、継続して稼動させることができない画像形成システムを停止させることができる。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
また、請求項５の発明によれば、無停電電源装置に異常が生じた際に、画像形成システムを継続して稼動が可能な状態に変更することができ、継続して稼動させることができない画像形成システムを停止させることができる。
【手続補正１７】
【補正対象書類名】明細書
【補正対象項目名】００２１
【補正方法】削除
【補正の内容】